(57)【要約】【課題】簡単に任意の地紋を印刷することができる印刷装置およびテープ印刷装置を提供する。【解決手段】１以上のキャラクターからなるキャラクター列の印刷に際し、その背景模様となる複数の地紋データを記憶する地紋データ記憶手段６４と、所定のキャラクターと、複数の地紋データの中の１以上の地紋データと、を関連付けた地紋テーブル７１を記憶するテーブル記憶手段６２と、所定のキャラクターに関連付けられた１以上の地紋データの内、１の地紋データをランダムに決定する第１地紋決定手段と、印刷対象となるキャラクターが、所定のキャラクターか否かを判別するキャラクター判別手段と、キャラクター判別手段により、印刷対象となるキャラクターが所定のキャラクターであると判別された場合、第１地紋決定手段により決定した地紋データに基づく地紋を印刷する地紋印刷制御手段と、を備えたことを特徴とする。【選択図】図４
2010221564.tif 000002
【特許請求の範囲】
【請求項１】
１以上のキャラクターからなるキャラクター列の印刷に際し、その背景模様となる複数の地紋データを記憶する地紋データ記憶手段と、
所定の前記キャラクターと、前記複数の地紋データの中の１以上の地紋データと、を関連付けた地紋テーブルを記憶するテーブル記憶手段と、
前記所定のキャラクターに関連付けられた前記１以上の地紋データの内、１の地紋データをランダムに決定する第１地紋決定手段と、
印刷対象となる前記キャラクターが、前記所定のキャラクターか否かを判別するキャラクター判別手段と、
前記キャラクター判別手段により、前記印刷対象となるキャラクターが前記所定のキャラクターであると判別された場合、前記第１地紋決定手段により決定した地紋データに基づく地紋を印刷する地紋印刷制御手段と、を備えたことを特徴とする印刷装置。
【請求項２】
前記地紋データ記憶手段により記憶した全ての前記地紋データの内、１の地紋データをランダムに決定する第２地紋決定手段をさらに備え、
前記地紋印刷制御手段は、
前記キャラクター判別手段により、前記印刷対象となるキャラクターが前記所定のキャラクターでないと判別された場合、前記第２地紋決定手段により決定した地紋データに基づく地紋を印刷することを特徴とする請求項１に記載の印刷装置。
【請求項３】
前記地紋印刷制御手段による地紋の印刷を有効にするか否かを設定する地紋印刷設定手段をさらに備えたことを特徴とする請求項１または２に記載の印刷装置。
【請求項４】
請求項１ないし３のいずれか１項に記載の印刷装置の各手段を備えたことを特徴とするテープ印刷装置。
【発明の詳細な説明】
【技術分野】
【０００１】
本発明は、キャラクターの印刷に際し、その背景模様として地紋を印刷することができる印刷装置およびテープ印刷装置に関するものである。
【背景技術】
【０００２】
従来、任意のキャラクター（キャラクター列）をテープ状媒体に印刷し、ラベルを作成するテープ印刷装置が知られている。このテープ印刷装置では、ラベルの作成に際し、印刷対象となるキャラクターの背景模様として地紋を印刷することができる。この地紋印刷では、ユーザーが、予め用意された地紋（定型地紋）の中から所望の地紋を選択することにより、ラベルの背景全体に選択された地紋の印刷が行われていた（例えば、非特許文献１参照）。
【先行技術文献】
【特許文献】
【０００３】
【非特許文献１】「テプラ」ＰＲＯ  ＳＲ８２８  取扱説明書、第２版（１９９８年７月発行）、ｐ．１１１
【発明の概要】
【発明が解決しようとする課題】
【０００４】
ところで、ラベルに地紋を印刷する場合、使い方によっては、特に地紋の種類にはこだわらないが、ラベルに対して何かアクセントを付けたい場合が考えられる。つまり、何かしらの地紋をラベルに印刷できれば良い場合がある。例えば、クラス全員の名前ラベルを作成する際、アクセントとして地紋を印刷したいが、誰にどの地紋を印刷してもかまわないような場合、従来は、クラス全員分、適当に地紋の種類を変えて印刷を行わなければ成らず、手間がかかるという問題がある。また、人間の心理として、どの地紋を印刷してもかまわないような場合には、逆にどれを印刷しようか迷うことが多く、結果としてラベルの作成に時間がかかってしまうということがある。
【０００５】
本発明は、上記の問題に鑑みたものであり、簡単に任意の地紋を印刷することができる印刷装置およびテープ印刷装置を提供することを目的とする。
【課題を解決するための手段】
【０００６】
本発明の印刷装置は、１以上のキャラクターからなるキャラクター列の印刷に際し、その背景模様となる複数の地紋データを記憶する地紋データ記憶手段と、所定のキャラクターと、複数の地紋データの中の１以上の地紋データと、を関連付けた地紋テーブルを記憶するテーブル記憶手段と、所定のキャラクターに関連付けられた１以上の地紋データの内、１の地紋データをランダムに決定する第１地紋決定手段と、印刷対象となるキャラクターが、所定のキャラクターか否かを判別するキャラクター判別手段と、キャラクター判別手段により、印刷対象となるキャラクターが所定のキャラクターであると判別された場合、第１地紋決定手段により決定した地紋データに基づく地紋を印刷する地紋印刷制御手段と、を備えたことを特徴とする。
【０００７】
また、本発明の印刷装置において、地紋データ記憶手段により記憶した全ての地紋データの内、１の地紋データをランダムに決定する第２地紋決定手段をさらに備え、地紋印刷制御手段は、キャラクター判別手段により、印刷対象となるキャラクターが所定のキャラクターでないと判別された場合、第２地紋決定手段により決定した地紋データに基づく地紋を印刷することが好ましい。
【０００８】
これらの構成によれば、地紋の印刷に際し、印刷対象となるキャラクターが所定のキャラクターである場合、当該キャラクターに関連付けられた１以上の地紋の中から、１の地紋をランダムに決定して印刷することができる。また、所定のキャラクターでない場合、全ての地紋の中から、１の地紋をランダムに決定して印刷することができる。これにより、地紋の種類を問わず、何らかの地紋を施した複数の印刷物を作成するような場合、ユーザーが１つずつ地紋を選択するといった手間をかけることなく、また、どの地紋にするか迷うことなく、異なるイメージ（地紋）の印刷物を簡単に作成することができ、利便性が良い。
また、所定キャラクターに当該キャラクターと繋がりのある（当該キャラクターのもつ意味を表すような）複数の地紋を関連付けておくことで、任意の地紋を印刷しつつ、且つ適切な（見た目が良い）地紋を印刷した複数の印刷物を作成することができる。
【０００９】
本発明の印刷装置において、地紋印刷制御手段による地紋の印刷を有効にするか否かを設定する地紋印刷設定手段をさらに備えたことが好ましい。
【００１０】
この構成によれば、ランダムに決定した地紋を印刷するか否かを設定できるため、ユーザーのニーズに応じて使い分けることができ、利便性が良い。
【００１１】
本発明のテープ印刷装置は、上記に記載の印刷装置の各手段を備えたことを特徴とする。
【００１２】
この構成によれば、地紋の印刷に際し、印刷対象となるキャラクターが所定のキャラクターである場合、当該キャラクターに関連付けられた1以上の地紋の中から、１の地紋をランダムに選択して印刷することができるテープ印刷装置を提供することができる。
【図面の簡単な説明】
【００１３】
【図１】本発明の一実施形態に係るテープ印刷装置の開蓋状態における外観斜視図である。
【図２】テープ印刷装置の制御ブロック図である。
【図３】地紋テーブルを説明する図である。
【図４】一連の印刷処理の手順について説明するフローチャートである。
【発明を実施するための形態】
【００１４】
以下、本発明の一実施形態について、添付図面を参照しながら詳細に説明する。本実施形態では、印刷装置として、テープ状媒体に印刷を行うことによってラベルを作成するテープ印刷装置を例に挙げて説明する。
【００１５】
図１は、本実施形態に係るテープ印刷装置１の開閉蓋４を開いた状態の外観斜視図である。図１に示すようにテープ印刷装置１は、装置ケース２により外装が形成され、装置ケース２の前部上面には各種入力キーを備えたキーボード３が配置されると共に、後部上面には、その左部に開閉蓋４が取り付けられ、その右部には表示画面５が配設されている。開閉蓋４の内側にはテープカートリッジＣを装着するためのカートリッジ装着部６が窪入形成されており、テープカートリッジＣは、開閉蓋４を開放した状態でカートリッジ装着部６に着脱可能に装着される。また、開閉蓋４にはこれを閉じた状態でテープカートリッジＣの装着／非装着を視認するための覗き窓７が形成されている。
【００１６】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサー等と同様である。機能キー群３ｂには、［印刷］キー１１、カーソルキー１２、[選択]キー１３、［印刷設定］キー１４などが含まれる。なお、これらのキー入力は、一般的なキーボードと同様に、キー入力毎に個別にキーを設けても良いし、シフトキー等と組み合わせてより少ない数のキーを用いて入力するようにしても良い。
【００１７】
［印刷］キー１１は、印刷実行を指示するためのキーである。カーソルキー１２は、上下左右キー（［↑］，［↓］，［←］，［→］）から成り、カーソル移動やスクロール操作を行うためのキーである。［選択］キー１３は、選択候補（選択肢）の選択および確定操作を行うためのキーである。
【００１８】
一方、［印刷設定］キー１４は、テープ印刷装置１の各種印刷設定を行うためのキーである。本実施形態では、テキストや画像等の印刷時に、その背景模様となる地紋の印刷に関する設定を行うために用いられる（詳細は後述する）。
【００１９】
表示画面５は、液晶ディスプレイで形成されている。表示画面５は、ユーザーがキーボード３により所望の情報（テキストや画像等）を入力して、テキストデータや画像データ等の印刷データを作成・編集したり、その結果等を視認（確認）したりする際に用いられる。
【００２０】
装置ケース２の左側部には、カートリッジ装着部６と外部とを連通するテープ排出口２１が形成され、このテープ排出口２１には、送り出した印刷テープＴを切断するためのテープカッター２２（フルカッター５２およびハーフカッター５４，図２参照）が臨んでいる。そして、テープ排出口２１から印刷済みの印刷テープＴが所定長さだけ送り出され、送りを一旦停止させた状態で、この印刷済みの印刷テープＴをテープカッター２２により切断することにより、短冊状のラベルを作成する。
【００２１】
一方、カートリッジ装着部６には、ヘッドカバー２５内にサーマルタイプの印刷ヘッド２６が内蔵されたヘッドユニット２４と、印刷ヘッド２６に対峙するプラテン駆動軸２７と、後述のインクリボンＲを巻き取る巻き取り駆動軸２８と、後述のテープリール３２の位置決め突起２９とを備えている。また、カートリッジ装着部６の下側には、プラテン駆動軸２７および巻き取り駆動軸２８を回転させるテープ送りモーター３０（図２参照）が内蔵されている。
【００２２】
テープカートリッジＣは、カートリッジケース３１内部の上部中央部に、一定の幅（４ｍｍ〜４８ｍｍ程度）の印刷テープＴを巻回したテープリール３２と、右下部にインクリボンＲを巻回したリボンリール３３とを収容して構成されており、印刷テープＴとインクリボンＲは同じ幅で構成されている。また、テープリール３２の左下部には前記ヘッドユニット２４が差し込まれるための貫通孔３４が形成されている。さらに、貫通孔３４にヘッドユニット２４が差し込まれた状態で、当該ヘッドユニット２４に内蔵された印刷ヘッド２６に対し、印刷テープＴとインクリボンＲとが重なる部分を挟んで対向する位置に、前記プラテン駆動軸２７に嵌合されて回転駆動するプラテンローラー３５が配設されている。一方、前記リボンリール３３に近接してリボン巻き取りリール３６が配置され、リボンリール３３から繰り出されたインクリボンＲは、ヘッドカバー２５を周回するように配置され、リボン巻き取りリール３６に巻き取られるようになっている。
【００２３】
テープカートリッジＣがカートリッジ装着部６に装着されると、ヘッドカバー２５に貫通孔３４が、位置決め突起２９にテープリール３２の中心孔が、巻き取り駆動軸２８にリボン巻き取りリール３６の中心孔がそれぞれ差し込まれ、印刷テープＴおよびインクリボンＲを挟み込んで印刷ヘッド２６がプラテンローラー３５に当接して印刷が可能になる。その後、ユーザーが表示画面５の編集結果を確認しながらキーボード３により所望のテキスト（文字、数字、記号、簡易図形等のキャラクター）や画像を入力し、印刷を指示すると、テープ印刷装置１は、テープ送りモーター３０によりテープカートリッジＣから印刷テープＴを繰り出し、印刷ヘッド２６の発熱素子を選択的に発熱させることにより印刷テープＴに所望の印刷を行う。印刷テープＴの印刷済み部分はテープ排出口２１から随時外部に送り出され、印刷を完了すると、テープ送りモーター３０は、余白分を含むテープ長さの位置まで印刷テープＴの送りを行った後、その送りを停止する（その後、切断処理に移行する）。
【００２４】
一方、印刷テープＴは、裏面に粘着剤層が形成された記録テープＴａと、この粘着剤層により記録テープＴａに貼り付けられた剥離テープＴｂとから構成されている。そして、印刷テープＴは、記録テープＴａを外側にし、かつ剥離テープＴｂを内側にしてロール状に巻回されてカートリッジケース３１内に収容されている。また、印刷テープＴは、テープ種別（テープ幅、テープの地色、地模様、材質（質感）など）が異なる複数種のものが用意されており、各カートリッジケース３１には、このうち１種類の印刷テープＴおよびインクリボンＲが収容されている。また、カートリッジケース３１の裏面にはテープカートリッジＣの種別を特定する複数の孔（図示省略）が設けられている。また、複数の孔に対応してカートリッジ装着部６には、これらを検出するテープ識別センサー（マイクロスイッチ等）３７（図２参照）が、複数設けられており、このテープ識別センサー３７により複数の孔の状態を検出することで、テープ種別を判別できるようになっている。
【００２５】
次に、図２の制御ブロック図を参照し、テープ印刷装置１の制御構成について説明する。テープ印刷装置１は、操作部４１、検出部４２、印刷部４３、切断部４４、駆動部４５、およびこれら各部と接続して、テープ印刷装置１全体を制御する制御部４０を有している。なお、請求項における「地紋印刷制御手段」とは、上記の制御部４０および印刷部４３を主要な構成要素とするものである。
【００２６】
操作部４１は、キーボード３上の文字キー群３ａや機能キー群３ｂからの情報の入力・編集や設定、およびこれら各種情報の表示画面５への表示等、ユーザーインターフェイスとして機能する。検出部４２は、上述したテープ識別センサー３７を有し、印刷テープＴ（テープカートリッジＣ）の種別を検出する。印刷部４３は、印刷ヘッド２６およびテープ送りモーター３０を有し、印刷テープＴおよびインクリボンＲを搬送しながら印刷テープＴ上に、生成された印刷データに基づく印刷を行う。
【００２７】
切断部４４は、印刷テープＴの記録テープＴａと剥離テープＴｂの両方を切断するフルカッター５２およびこれを駆動するフルカッターモーター５１と、印刷テープＴの記録テープＴａのみを切断するハーフカッター５４およびこれを駆動するハーフカッターモーター５３と、を有している。そして、これらフルカッター５２およびハーフカッター５４により、印刷部４３で印刷処理済みの印刷テープＴを所定の長さになるように切断し、ラベルを作成する。駆動部４５は、ディスプレイドライバー５５、ヘッドドライバー５６、テープ送りモータードライバー５７およびカッターモータードライバー５８を有し、各部を駆動する。
【００２８】
制御部４０は、ＣＰＵ６１（Central Processing Unit）、ＲＯＭ６２（Read Only Memory，テーブル記憶手段）、ＲＡＭ６３（Random Access Memory）、キャラクタージェネレーターＲＯＭ６４（ＣＧ−ＲＯＭ，地紋データ記憶手段）および入出力制御装置６５（以下、「ＩＯＣ：Input Output Controller」と称する）を備え、これらは互いに内部バス６６により接続されている。ＲＡＭ６３は、ＣＰＵ６１が各種処理を実行するための作業領域として使用される。
【００２９】
ＣＧ−ＲＯＭ６４は、テープ印刷装置１に用意されている装飾画像や、文字、記号、図形（絵文字）等のキャラクターのフォントデータを記憶している。なお、ＣＧ−ＲＯＭ６４には、装飾画像として、複数の地紋画像（地紋データ，以下、単に「地紋」と称す。）が記憶されている。なお、本実施形態では、地紋として、「海波」、「菱形」、「菱網」、「雪」、「桜」、「星」、「カード」、「唐草」、「点網」、「切枝」の名称が付けられた１０種類の地紋が記憶されているものとする。但し、これら地紋の種類（数）および名称は一例であり、これに限るものではない。
【００３０】
ＲＯＭ６２は、印刷処理等の各種処理をＣＰＵ６１で制御するための制御プログラムおよび制御データを記憶している。制御データとしては、具体的に、所定のキャラクターと、地紋とを関連付けた地紋テーブル７１が含まれる（図３参照，詳細は後述する）。なお、以降の説明では、キャラクターの代表として「絵文字」を例に挙げて説明する。
【００３１】
また、制御プログラムとしては、後述の「ランダム地紋設定」の設定に基づき、印刷処理毎に、上記地紋テーブル７１の参照結果を加味してＣＧ−ＲＯＭ６４に記憶された地紋の中から１つの地紋をランダムに決定（選択）し、当該地紋を印刷するプログラムが含まれる（以下、このプログラムによって実現される機能を「ランダム地紋印刷機能」と称す）。
【００３２】
上記の構成により、ＣＰＵ６１は、ＲＯＭ６２内の各種制御プログラムに従って、ＩＯＣ６５を介してテープ印刷装置１内の各部から各種信号・データを入力する。また、入力された各種信号・データに基づいてＲＡＭ６３内の各種データを処理し、ＩＯＣ６５を介してテープ印刷装置１の各部に各種信号・データを出力することにより、入力編集処理や印刷切断処理の制御を行なう。
【００３３】
ここで、図３を参照して、地紋テーブル７１について説明する。図３に示すように、地紋テーブル７１は、所定の絵文字と、１以上の地紋とを関連付けたものである。なお、便宜上、関連付けられた地紋が全て同じである絵文字をまとめて「絵文字グループＧ（Ｇ１〜Ｇ６・・・）に属する各絵文字」と称す。また、図中の「海波」、「菱形」、「点網」・・・等は、ＣＧ−ＲＯＭ６４に記憶されている地紋の名称を示している。
【００３４】
この地紋テーブル７１では、絵文字グループＧ１に属する各絵文字（「船８１」、「潜水艦８２」、「碇８３」・・・等を示す各絵文字）には、「海波」、「菱形」および「点網」の３つの地紋が関連付けられている。また、絵文字グループＧ２に属する各絵文字（「テニス９１」、「野球９２」、「飛行機９３」・・・等を示す各絵文字）には、「菱形」および「菱網」の２つの地紋が関連付けられている。同様に、絵文字グループＧ３に属する各絵文字には３つの地紋が、絵文字グループＧ４に属する各絵文字には１つの地紋が、絵文字グループＧ５に属する各絵文字には５つの地紋が、絵文字グループＧ６に属する各絵文字には４つの地紋が関連付けられている。
【００３５】
なお、図３に示す各絵文字、および各絵文字と地紋との組み合わせ（関連付け）は一例であり、これに限るものではない。また、ＣＧ−ＲＯＭ６４に記憶されている全ての絵文字がいずれかの地紋と関連付けられている訳ではなく、絵文字の中にはいずれの地紋とも関連付けられていないものも存在する。
【００３６】
次に、本発明のテープ印刷装置１を使用した印刷方法について説明する。前述の通り、本発明のテープ印刷装置１は、印刷処理毎にランダムに１つの地紋を決定し、この地紋を印刷テープＴに印刷するランダム地紋印刷機能を有している。このランダム地紋印刷機能は、印刷設定メニュー（［印刷設定］キー１４の押下）の［ランダム地紋設定（地紋印刷設定手段）］により、有効にするか無効にするかを設定することができる。［ランダム地紋設定］は、「あり」および「なし」の２つの選択候補を有しており、「あり」に設定することで、上記ランダム地紋印刷機能が有効となり、「なし」に設定することで無効となる。以下、図４を参照して、詳細に説明する。
【００３７】
図４は、テープ印刷装置１の一連の印刷手順について説明するフローチャートである。まず、ユーザーにより所望の情報（文字、記号、絵文字等）が入力され（Ｓ０１）、［印刷］キー１１の押下により印刷指示が成されると（Ｓ０２）、ＣＰＵ６１は、［ランダム地紋設定］の設定内容を確認する（Ｓ０３）。［ランダム地紋設定］が「なし」に設定されている場合（Ｓ０４；Ｎｏ）、ＣＰＵ６１は通常の印刷処理（ランダム地紋印刷機能を用いない、従来のテープ印刷装置１と同様の印刷処理）を実行する（Ｓ０５）。
【００３８】
一方、［ランダム地紋設定］が「あり」に設定されている場合（Ｓ０４；Ｙｅｓ）、ＣＰＵ６１は、入力された情報の背景模様として、ユーザーにより設定された地紋が有るか否かを判別する（Ｓ０６）。ユーザーにより設定された地紋が無い場合（Ｓ０７；Ｎｏ）、ＣＰＵ６１は、ユーザーにより入力された情報の中に、所定の絵文字（地紋テーブル７１に登録されている絵文字）があるか否かを判別する（Ｓ０８，キャラクター判別手段）。
【００３９】
所定の絵文字がある場合（Ｓ０９；Ｙｅｓ）、ＣＰＵ６１は、地紋テーブル７１を参照し、当該所定の絵文字に関連付けられた１以上の地紋の中から、１つの地紋をランダムに決定する（Ｓ１０，第１地紋決定手段）。そして、ＣＰＵ６１は、入力された情報の背景模様として、この決定した地紋を印刷する（Ｓ１１）。
【００４０】
例えば、入力された情報に絵文字「船８１（図３参照）」がある場合、ＣＰＵ６１は、絵文字「船８１」に関連付けられた３つの地紋（「海波」、「菱形」および「点網」，図３参照）の中から１つの地紋をランダムに決定する。そして、決定した地紋（つまり、「海波」、「菱形」および「点網」のいずれかの地紋）を背景模様として印刷する。
【００４１】
なお、ユーザーにより入力された情報の中に、所定の絵文字が複数存在する場合、ＣＰＵ６１は、最後に入力された所定の絵文字を優先し、これに関連付けられた１以上の地紋から、１つの地紋をランダムに決定する。例えば、入力された情報の中に、絵文字「船８１」と絵文字「テニス９１」とが含まれ（いずれも図３参照）、絵文字「テニス９１」が絵文字「船８１」よりも後に入力されている場合、絵文字「テニス９１」に関連付けられた２つの地紋（「菱形」および「菱網」，図３参照）の中から１つの地紋をランダムに決定する。
【００４２】
一方、所定の絵文字が無い場合（Ｓ０９；Ｎｏ）、ＣＰＵ６１は、ＣＧ−ＲＯＭ６４に記憶された全ての地紋の中から（本実施形態では、１０種類の地紋の中から）、１つの地紋をランダムに決定する（Ｓ１２，第２地紋設定手段）。そして、ＣＰＵ６１は、入力された情報の背景模様として、この決定した地紋を印刷する（Ｓ１１）。
【００４３】
また、Ｓ０６において、ユーザーにより既に地紋が設定されている場合（Ｓ０７；Ｙｅｓ）、ＣＰＵ６１は、既存の地紋（ユーザーが設定した地紋）を、テープ印刷装置１（ＣＰＵ６１）がランダムに決定する地紋に変更するか否かを確認するための地紋変更確認画面を表示する（Ｓ１３）。変更確認画面で、ユーザーにより「変更しない」が指示された場合（Ｓ１４；Ｎｏ）、ＣＰＵ６１は、通常の印刷処理を実行する（Ｓ０５）。つまり、この場合、入力された情報と共に、その背景模様としてユーザーにより設定された地紋を印刷する。
【００４４】
一方、地紋変更確認画面で、ユーザーにより「変更する」が指示された場合（Ｓ１４；Ｙｅｓ）、ＣＰＵ６１は、上述のＳ０８以降の処理を実行する。つまり、ユーザーが設定した地紋の代わりに、テープ印刷装置１（ＣＰＵ６１）がランダムに決定した地紋を背景模様として印刷する。
【００４５】
以上のように、本実施形態では、地紋の印刷に際し、印刷対象となる絵文字（キャラクター）が所定の絵文字である場合、当該絵文字に関連付けられた１以上の地紋の中から、１つの地紋をランダムに決定して印刷することができる。また、所定の絵文字でない場合、全ての地紋の中から、１つの地紋をランダムに決定して印刷することができる。これにより、地紋の種類を問わず、何らかの地紋を施した複数のラベル（印刷物）を作成するような場合、ユーザーが１つずつ地紋を選択するといった手間をかけることなく、また、どの地紋にするか迷うことなく、異なるイメージ（地紋）のラベルを簡単に作成することができ、利便性が良い。
【００４６】
また、所定の絵文字に当該絵文字と繋がりのある（当該絵文字のもつ意味を表すような）複数の地紋を関連付けておくことで、任意の地紋を印刷しつつ、且つ適切な（見た目が良い）地紋を印刷した複数のラベルを作成することができる。
【００４７】
また、［ランダム地紋設定］により、ランダムに決定した地紋を印刷するか否かを設定できるため、ユーザーのニーズに応じて使い分けることができ、利便性が良い。
【００４８】
なお、本実施形態では、ユーザーが入力した情報（印刷対象となる情報）に、複数の所定の絵文字が含まれている場合、最後に入力された絵文字を優先し、これに関連付けられた地紋の中から、１つの地紋をランダムに決定しているが、これに限るものではない。例えば、複数の所定の絵文字がある場合、最初に入力された絵文字に関連付けられた地紋の中から、１つの地紋をランダムに決定しても良い。あるいは、複数の絵文字のそれぞれに関連付けられた地紋の論理和をとり、この中から、１つの地紋をランダムに決定するようにしても良い。
【００４９】
また、本実施形態では、所定の絵文字と地紋とを関連付けているが、あくまでも一例であり、これに限るものではない。例えば、所定の文字（文字列）や記号と地紋とを関連付けるようにしても良い。
【００５０】
また、印刷設定メニューで［ランダム地紋設定］を行っているが、これに限るものではない。例えば、ランダム地紋設定キーを新たに設けて設定を行うようにしても良いし、既存のキーと、シフトキーとの組み合わせにより設定するようにしても良い。
【００５１】
また、上述した実施例によらず、テープ印刷装置１の装置構成や処理工程等について、本発明の要旨を逸脱しない範囲で、適宜変更も可能である。
【符号の説明】
【００５２】
１…テープ印刷装置  ４０…制御部  ４３…印刷部  ６２…ＲＯＭ  ６４…ＣＧ−ＲＯＭ  ７１…地紋テーブル
【図１】
2010221564.tif 000003
【図２】
2010221564.tif 000004
【図３】
2010221564.tif 000005
【図４】
2010221564.tif 000006